(57)【要約】【課題】採水ブロックに設けられた吸水口を常時下向きに開口させることができ、管内に溜まった水を確実に採水して排除できる採水器を提供する。【解決手段】可撓性を有する吸水ホース１２に設けられ、該吸水ホース１２を介して管内に挿入される採水器本体１３と、採水器本体１３に、該採水器本体１３の挿入方向の軸心Ｏを中心として回転自在に設けられ、採水器本体１３の軸心Ｏから偏心した位置に重心Ｇを有する採水ブロック２６と、採水ブロック２６の重心位置に吸水ホース１２と連通して設けられ、常時下向きに開口する吸水口３２と、採水器本体１３に設けられ、吸水口３２を含む採水ブロック２６を囲繞するとともに、外周壁に吸水口３２と連通する複数の通水孔１７を有する採水ブロックカバー２３とを具備したことを特徴とする。【選択図】  図２
2009108978.tif 000002
【特許請求の範囲】
【請求項１】
可撓性を有する吸水ホースに設けられ、該吸水ホースを介して管内に挿入される採水器本体と、
前記採水器本体に、該採水器本体の挿入方向の軸心を中心として回転自在に設けられ、前記採水器本体の軸心から偏心した位置に重心を有する採水ブロックと、
前記採水ブロックの重心位置に前記吸水ホースと連通して設けられ、常時下向きに開口する吸水口と、
前記採水器本体に設けられ、前記吸水口を含む前記採水ブロックを囲繞するとともに、外周壁に前記吸水口と連通する複数の通水孔を有する採水ブロックカバーと、
を具備したことを特徴とする採水器。
【請求項２】
前記採水器本体は、内部に軸受を有し、該軸受に前記採水ブロックが回転自在に支持されていることを特徴とする請求項１記載の採水器。
【請求項３】
前記採水器本体の内部に、前記採水ブロックを前記採水器本体に回転自在に支持する軸受側と前記吸水ホース側との間に連通路を設け、この連通路に前記採水器本体の吸引ホース側から吸引力が作用したとき、前記連通路を遮断する遮断弁を設けたことを特徴とする請求項１または２記載の採水器。
【請求項４】
前記採水ブロックは、前記軸受に支持される支持部を基点として扇状に拡がる偏心部を設けて前記採水器本体の軸心から偏心した位置に重心を形成し、前記吸水口は前記偏心部の円弧面に開口していることを特徴とする請求項１または２記載の採水器。
【請求項５】
前記採水ブロックは、前記吸水ホースと同軸的に開口する軸方向通水路と、該軸方向通水路から径方向に開口し、前記吸水口と連通する径方向通水路を有していることを特徴とする請求項１〜４のいずれかに記載の採水器。
【請求項６】
前記通水孔は、前記採水ブロックカバーの軸方向に延長するスリット状であることを特徴とする請求項１記載の採水器。
【発明の詳細な説明】
【技術分野】
【０００１】
本発明は、例えば、地下に埋設されたガス管、地下埋設通信線用導管等の管内に溜まった水を採水する採水器に関する。
【背景技術】
【０００２】
例えば、ガス管等の埋設工事や埋設されているガス管等の補修工事あるいは地下埋設通信線用導管の保守作業等に際し、管内に浸水して溜まった水を外部に排除する管内作業装置が知られている（例えば、特許文献１及び２参照。）。
【０００３】
特許文献１及び２は、可撓性を有する抽水ホースの先端部に抽水装置が設けられている。この抽水装置は、水通過孔を有する円筒状抽水部の内部に抽水ホースに連通する筒状部材が回転自在に設けられている。筒状部材の側壁の一部には吸水口が開口しており、この吸水口の近傍には重錘部が設けられ、吸水口が常時下向きに開口するようになっている。
【０００４】
抽水ホースの基端部は地上に設置されたポンプに接続されており、ポンプによって吸引することにより、管内に溜まった水を吸水口から吸水し、抽出ホースを介して外部に排除できるようになっている。
【０００５】
また、抽水ホースに硬質線材を挿通するとともに、抽水ホースの先端部に抽水用開口を有した錘を設け、この錘と硬質線材を連結し、管路が屈曲しても内部に進入しやすくした抽水装置が知られている（例えば、特許文献３参照。）。
【０００６】
さらに、抽水ホースの先端部に抽水ブロックを設け、この抽水ブロックに下向きに開口する複数の吸水口を有する吸引部を設けるとともにＣＣＤカメラを設け、管内を観察しながら管内に溜まった水を吸水して外部に排除できるようにした抽水装置が知られている（例えば、特許文献４及び５参照。）。
【特許文献１】特開平８−３０３６９７号公報
【特許文献２】特開平８−３０３６９８号公報
【特許文献３】特開２００１−３２４１００号公報
【特許文献４】特開２００１−３１１４９５号公報
【特許文献３】特開２０００−３０４２００号公報
【発明の開示】
【発明が解決しようとする課題】
【０００７】
前記特許文献１及び２は、ガス管等の管内の溜まった水を吸水して外部に排除できる抽水装置であり、抽水装置に設けられた吸水口が常時下向きに開口するように、吸水口の近傍には重錘部が設けられている。しかし、ポンプを駆動して吸水口から吸水する吸引力が筒状部材に加わると、筒状部材が吸引力によって軸方向にずれ、円筒状抽水部の内壁に押圧される。従って、筒状部材の回転に抵抗が加わり、吸水口の近傍に重錘部を設けていても吸水口が下向きに開口せず、管内の溜まった水を完全に吸水して排除することが難しい。
【０００８】
前記特許文献３においても、重錘が設けられているが、抽水ブロックを回転自在に支持した構成ではなく、吸水口を常時下向きに開口させることは困難である。
【０００９】
前記特許文献４及び５には、抽水ブロックに下向きに開口する複数の吸水口を有する吸引部が設けられているが、抽水ブロックを回転自在に支持した構成ではなく、管内の溜まった水を完全に吸水して排除することが難しい。
【００１０】
本発明は、前記事情に着目してなされたもので、その目的とするところは、採水ブロックに設けられた吸水口を常時下向きに開口させることができ、管内に溜まった水を確実に採水して排除できる採水器を提供することにある。
【課題を解決するための手段】
【００１１】
本発明は、前記目的を達成するために、請求項１は、可撓性を有する吸水ホースに設けられ、該吸水ホースを介して管内に挿入される採水器本体と、前記採水器本体に、該採水器本体の挿入方向の軸心を中心として回転自在に設けられ、前記採水器本体の軸心から偏心した位置に重心を有する採水ブロックと、前記採水ブロックの重心位置に前記吸水ホースと連通して設けられ、常時下向きに開口する吸水口と、前記採水器本体に設けられ、前記吸水口を含む前記採水ブロックを囲繞するとともに、外周壁に前記吸水口と連通する複数の通水孔を有する採水ブロックカバーとを具備したことを特徴とする採水器にある。
【００１２】
請求項２は、請求項１の前記採水器本体は、内部に軸受を有し、該軸受に前記採水ブロックが回転自在に支持されていることを特徴とする。
【００１３】
請求項３は、請求項１または２の前記採水器本体の内部に、前記採水ブロックを前記採水器本体に回転自在に支持する軸受側と前記吸水ホース側との間に連通路を設け、この連通路に前記採水器本体の吸引ホース側から吸引力が作用したとき、前記連通路を遮断する遮断弁を設けたことを特徴とする。
【００１４】
請求項４は、請求項１または２の前記採水ブロックは、前記軸受に支持される支持部を基点として扇状に拡がる偏心部を設けて前記採水器本体の軸心から偏心した位置に重心を形成し、前記吸水口は前記偏心部の円弧面に開口していることを特徴とする。
【００１５】
請求項５は、請求項１〜４のいずれかに記載の前記採水ブロックは、前記吸水ホースと同軸的に開口する軸方向通水路と、該軸方向通水路から径方向に開口し、前記吸水口と連通する径方向通水路を有していることを特徴とする。
【００１６】
請求項６は、請求項１の前記通水孔は、前記採水ブロックカバーの軸方向に延長するスリット状であることを特徴とする。
【００１７】
前記請求項１の前記採水器本体は、挿入方向の先端側と基端側とに軸方向に２分割され、前記先端側と基端側に前記採水ブロックカバーを構成する先端側カバーと基端側カバーが一体に設けられていることを特徴とする。
【００１８】
前記請求項１の前記採水ブロックカバーの基端側カバー及び先端側カバーにおける外部には前記管内に対する挿入を形成するガイド部材が設けられていることを特徴とする。
【００１９】
前記採水ブロックカバーを構成する前記基端側カバーには前記吸水ホースが接続され、前記先端側カバーにはダミーホースが接続されていることを特徴とする。
【００２０】
前記ガイド部材は、前記基端側カバーと先端側カバーに設けられ、前記吸水ホースとの接続部及びダミーホースとの接続部を囲繞していることを特徴とする。
【発明の効果】
【００２１】
本発明によれば、採水ブロックの重心位置に吸水ホースと連通して設けられ、常時下向きに開口する吸水口を設けることにより、管内に溜まった水を確実に採水して排除できるという効果がある。
【発明を実施するための最良の形態】
【００２２】
以下、本発明の実施の形態を図面に基づいて説明する。
【００２３】
図１〜図６はガス管等の埋設工事や埋設されているガス管等の管内に浸水して溜まった水を外部に排除する採水器を示し、図１は管内の挿入した採水器の側面図、図２は採水器の縦断側面図、図３はガイド部材を取り外した採水器の右側面図、図４は図２のＡ−Ａ線に沿う断面図、図５は採水ブロックの斜視図、図６は採水ブロックカバーの斜視図である。
【００２４】
図１は、地下に埋設されたガス管、導管等の管体１１の管内に可撓性を有する吸水ホース１２を挿入した状態を示す。吸水ホース１２の先端部には採水器本体１３が設けられ、吸水ホース１２の基端部は地上に設置された吸水ポンプ（図示しない）に接続されている。
【００２５】
図２〜図４に示すように、採水器本体１３は、円筒状に構成され、基端側本体１３ａと先端側本体１３ｂとに２分割されている。基端側本体１３ａにはその軸心と同軸的に吸水ホース接続部１４が外部に突出して設けられ、先端側本体１３ｂにはその軸心と同軸的にダミーホース接続部１５が外部に突出して設けられている。基端側本体１３ａの外周縁部には円筒状の基端側カバー１６が一体に設けられている。この基端側カバー１６には軸方向に長いスリット状の通水孔１７が周方向には等間隔に穿設されている。さらに、基端側カバー１６の開口端部における内周面には雌ねじ部１８が形成されている。
【００２６】
先端側本体１３ｂの外周縁部には円筒状で、基端側カバー１６より小径で、軸方向に短い先端側カバー１９が設けられている。先端側カバー１９の外周面には環状溝２０と雄ねじ部２１が形成されている。そして、環状溝２０にはＯリング２２が嵌合され、雄ねじ部２１は基端側カバー１６の雌ねじ部１８と螺合されている。従って、基端側カバー１６と先端側カバー１９とで採水ブロックカバー２３が構成されている。基端側本体１３ａと先端側本体１３ｂとは雌ねじ部１８と雄ねじ部２１とで結合され、Ｏリング２２によって回り止めされている。
【００２７】
採水器本体１３の内部には基端側本体１３ａ及び先端側本体１３ｂの内壁から一体に突出する環状突起２４が互いに対向して設けられている。これら環状突起２４の内周部には採水器本体１３の軸心Ｏと同軸的に軸受２５が設けられている。採水器本体１３の内部には軸受２５に支持され、軸心Ｏを中心として回転自在な採水ブロック２６が設けられている。
【００２８】
採水ブロック２６は、軸受２５に回転自在に支持される支持部２７を有し、この支持部２７を基点として扇状に拡がる偏心部２８が一体に設けられている。偏心部２８はその外周面が採水ブロックカバー２３の内周面に近接した状態の円弧面２９が設けられている。従って、採水ブロック２６は、採水器本体１３の軸心Ｏから偏心した位置に重心Ｇを有している。さらに、採水ブロック２６は、吸水ホース接続部１４と同軸的に開口する軸方向通水路３０を有しており、この軸方向通水路３０から径方向に開口する径方向通水路３１を有している。そして、径方向通水路３１は採水ブロック２６の円弧面２９の開口する吸水口３２と連通している。従って、吸水口３２は重心Ｇが軸心Ｏより下側に位置しているため、常時向きに開口しており、採水ブロックカバー２３の周壁に設けられた通水孔１７に連通しているとともに、径方向通水路３１及び軸方向通水路３０を介して吸水ホース接続部１４と連通している。
【００２９】
また、軸受２５の側部に対向する基端側本体１３の内周面には円環状の凹陥部３３が設けられ、この凹陥部３３と対向する採水ブロック２６の支持部２７には環状溝３４が設けられている。そして、凹陥部３３と環状溝３４とによって軸受２５の隣側に弁収納室３５が設けられ、この弁収納室３５には円環状の遮断弁３６が収納されている。弁収納室３５の幅は遮断弁３６の厚さより若干広幅に形成され、１ｍｍ程度の隙間が形成されている。
【００３０】
従って、弁収納室３５に遮断弁３６が収納された状態においても採水器本体２６の内部軸受２５側と吸水ホース接続部１４との間には連通路３７が形成され、この連通路３７に吸水ホース接続部１４側から吸引力が作用したとき、遮断弁３６が弁収納室３５の底面に引き寄せられ、連通路３７を遮断できるようになっている。つまり、吸水ホース接続部１４側から吸引力が作用したとき、軸受２５を介して採水器本体１３の内部の空気を吸引してしまい、吸水口３２からの吸引力が低下するのを防止している。
【００３１】
また、採水器本体１３の吸水ホース接続部１４には吸水ホース１２が接続されており、ダミーホース接続部１５は可撓性を有するダミーホース３８が接続されている。さらに、基端側カバー１６にはガイド部材３９がボルト４０によって固定されている。先端側カバー１９にもガイド部材４１がボルト４２によって固定されている。ガイド部材３９は吸水ホース１２に向かって先細のテーパ面３９ａが形成され、ガイド部材４１はダミーホース３８に向かって先細のテーパ面４１ａが形成されている。そして、吸水ホース１２によって採水器本体１３を管内で進退移動する際にガイド部材３９，４１がガイドするようになっている。さらに、ガイド部材３９，４１は吸水ホース接続部１４及びダミーホース接続部１５を囲繞してこれらを保護している。
【００３２】
次に、前述のように構成された採水器の作用について説明する。
【００３３】
ガス管や地下埋設通信線用導管等の管体１１の管内に浸水して溜まった水を外部に排除する際においては、吸水ホース１２の先端部に接続された採水器本体１３を管体１１に挿入し、吸水ホース１２によって採水器本体１３を管体１１の軸方向に押し進める。このとき、採水器本体１３にはダミーホース３８が接続されているため、ダミーホース３８の重力によって採水器本体１３の下部を管内の最も低い部分（水が溜まっている部分）に位置することができる。
【００３４】
また、採水器本体１３内の採水ブロック２６は、軸受２５によって回転自在に支持され、採水ブロック２６の重心Ｇは軸心Ｏより下側に位置している。従って、吸水口３２は常時向きに開口しており、採水ブロックカバー２３の通水孔１７に連通している。このため、通水孔１７及び吸水口３２は管内に溜まった水Ｗに浸漬した状態にある。
【００３５】
この状態において、吸引ポンプを駆動すると、吸水ホース１２を介して吸引するため、採水ブロック２６が負圧となる。従って、管内の水Ｗは通水孔１７から吸水口３２に吸引される。吸水口３２から吸引された水は採水ブロック２６の径方向通水路３１から軸方向通水路３０を介して吸水ホース１２に吸引され、吸引ポンプから外部に排水される。
【００３６】
このとき、採水ブロック２６の重心Ｇは軸心Ｏより下側に位置し、吸水口３２は常時向きに開口している。従って、吸水ホース１２によって採水器本体１３を管体１１の軸方向に押し進める際に、採水器本体１３が吸水ホース１２の捩じれ等によって軸心Ｏを中心として周方向に回っても、採水ブロック２６の吸水口３２は常時向きに開口して管内に溜まった水Ｗを確実に吸水することができる。
【００３７】
さらに、吸水ホース１２から吸引力が作用したとき、連通路３７を介して遮断弁３６が弁収納室３５の底面に引き寄せられ、連通路３７を遮断する。従って、吸水ホース１２からの吸引力によって軸受２５を介して採水器本体１３の内部の空気を吸引することはなく、吸水口３２からの吸引力が低下するのを防止でき、管内に溜まった水Ｗを確実に吸水することができる。
【００３８】
また、採水器本体１３の先端側お呼び基端側にはテーパ面３９ａ，４０ａを有するガイド部材３９が取り付けられているため、吸水ホース１２によって採水器本体１３を管内で進退させる際のガイドとなり、吸水ホース１２によって採水器本体１３を円滑に進退移動できる。
【００３９】
なお、前記実施形態においては、地下に埋設されたガス管等の管内に溜まった水を採水する採水器について説明したが、地下埋設通信線用導管の保守作業等に際し、その管内に溜まった水を採取する場合に適用できる。また、採水器本体にＣＣＤカメラを搭載し、管内を観察しながら採水することも可能である。
【００４０】
また、採水ブロック２６を、軸受２５に回転自在に支持される支持部２７を基点として扇状に拡がる偏心部２８を有し、採水器本体１３の軸心Ｏから偏心した位置に重心Ｇを設けたが、採水ブロック２６の形状は限定されるものではなく、吸水口３２が常時向きに開口する構造であればよい。
【００４１】
なお、本発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組み合わせてもよい。
【図面の簡単な説明】
【００４２】
【図１】本発明の第１の実施形態を示し、管内の挿入した採水器の側面図。
【図２】同実施形態の採水器の縦断側面図。
【図３】同実施形態のガイド部材を取り外した採水器の右側面図。
【図４】同実施形態を示し、図２のＡ−Ａ線に沿う断面図。
【図５】同実施形態の採水ブロックの斜視図。
【図６】同実施形態の採水ブロックカバーの斜視図。
【符号の説明】
【００４３】
１２…吸水ホース、１３…採水器本体、１７…通水孔、２３…採水ブロックカバー、２５…軸受、２６…採水ブロック、３２…吸水口
【図１】
2009108978.tif 000003
【図２】
2009108978.tif 000004
【図３】
2009108978.tif 000005
【図４】
2009108978.tif 000006
【図５】
2009108978.tif 000007
【図６】
2009108978.tif 000008